(57)【要約】【課題】画像読取装置の読み取り画像からホルダ種別を自動判別する際の判別精度を向上させる。【解決手段】フィルムホルダ３０のホルダ部３１に、画像読取装置の読み取り画像からホルダ種別を判別する際の指標となる判別マーク３６を施す。判別マーク３６は、同一形状からなる複数の貫通孔をホルダ種別毎に判別マーク３６が異なるように配列し構成する。【選択図】      図２
2006284885.tif 000002
【特許請求の範囲】
【請求項１】
画像読取装置の原稿台に透過原稿を位置決めするためのフィルムホルダであって、ホルダ本体に、前記画像読取装置の読み取り画像から制御装置がホルダ種別を判別する際の指標となるマークを施し、該マークを同一形状からなる複数のマーク形成要素を前記ホルダ種別毎に前記マークが異なるように配列し構成したことを特徴とするフィルムホルダ。
【請求項２】
前記マーク形成要素は、ホルダ本体を貫通する貫通孔又はホルダ本体に形成された溝であることを特徴とする請求項１に記載のフィルムホルダ。
【請求項３】
前記マーク形成要素は、前記ホルダ種別の判別時にホルダ本体に照射される光の照射方向に沿って直径が小さくなるテーパ状の貫通孔であることを特徴とする請求項１に記載のフィルムホルダ。
【請求項４】
前記マークは、前記画像読取装置の機種間で共通化された前記マーク形成要素を用いて構成されていることを特徴とする請求項１〜請求項３のうちいずれか一項に記載のフィルムホルダ。
【請求項５】
画像読取装置と、該画像読取装置を制御する制御装置と、画像読取装置の原稿台に透過原稿を位置決めするためのフィルムホルダとを備えた画像読取システムにおいて、
前記フィルムホルダには、そのホルダ本体に、同一形状からなる複数のマーク形成要素をホルダ種別毎に異ならせて配列したマークが施されており、
前記制御装置は、前記画像読取装置が読み取った画像からマークを検出し、その検出したマークを構成するマーク形成要素の配列から前記ホルダ種別を判別することを特徴とする画像読取システム。
【発明の詳細な説明】
【技術分野】
【０００１】
本発明は、画像読取装置の原稿台に透過原稿を位置決めするためのフィルムホルダ、及び原稿台に置かれたホルダ種別を自動判別する画像読取システムに関する。
【背景技術】
【０００２】
従来、原稿に記録された原稿像を読み取るための装置として、イメージスキャナなどのフラットベッド方式の画像読取装置が広く普及されている。この種の画像読取装置は、撮像素子（ラインセンサ）と光源とを搭載したキャリッジを原稿に対して移動させ、その原稿からの反射光を読み取ることで原稿像を取得するようになっている。ところで、反射光を読み取る構成の画像読取装置は、光を反射する反射原稿の読み取りには適しているが、フィルムなどの光を透過する透過原稿の読み取りには適さない。そこで、近時においては、原稿台カバーに別の光源を設け、フィルムからの透過光を読み取ることで透過原稿の原稿像を取得可能とした画像読取装置も実用化されている（例えば、特許文献１参照）。以下に説明する「画像読取装置」は、反射原稿と透過原稿の各原稿像を読み取り可能に構成した画像読取装置を示すものとする。
【０００３】
この種の画像読取装置では、読み取る透過原稿を原稿台の読み取り領域内に位置決めするためのガイドとなるフィルムホルダが用いられている。このフィルムホルダは、例えば、３５ｍｍのストリップフィルムと３５ｍｍのマウント（スライド）フィルムをセット可能に構成されている。そして、画像読取装置とホストコンピュータ（例えば、パーソナルコンピュータ）を含む画像読取システムでは、フィルムホルダにセットされて原稿台に置かれたフィルム（透過原稿）の原稿像が取得されるようになっている。
【特許文献１】特開２００２−３６９０１６号公報
【発明の開示】
【発明が解決しようとする課題】
【０００４】
ところで、画像読取システムでは、透過原稿がセットされたフィルムホルダのホルダ種別（透過原稿（フィルム）の種別）毎に異なる処理を実施する。このため、画像読取システムでは、ホルダ種別に応じて適切な処理を実行するためにもホルダ種別を特定することが必要不可欠である。ホルダ種別を特定する方法としては、ユーザにホルダ種別を入力させる方法と画像読取システム側でホルダ種別を自動判別する方法が考えられる。しかしながら、前者の方法では、人的処理に大きく依存し、全てのユーザが正確にホルダ種別を認識し、入力するとは考え難いので、従来においては後者の方法が採用されている。
【０００５】
従来の画像読取システムでは、画像の読み取りに先立ち、プレスキャン処理で読み取った画像からホルダ種別毎（フィルムの種類毎）に明確に異なる情報を探し出し、その情報をもとにホルダ種別（例えば、ストリップフィルムがセットされたホルダか又はマウントフィルムがセットされたホルダか）を判別していた。しかしながら、読み取り画像（フィルムの内容も含む）から判別する方法では、フィルムの有無、フィルムの被写体などの影響を受け易く、誤判定を招く虞があった。
【０００６】
この発明は、このような従来の技術に存在する問題点に着目してなされたものであり、その目的は、画像読取装置の読み取り画像からホルダ種別を自動判別する際の判別精度を向上させることができるフィルムホルダ、及び画像読取システムを提供することにある。
【課題を解決するための手段】
【０００７】
本発明のフィルムホルダは、画像読取装置の原稿台に透過原稿を位置決めするためのフィルムホルダであって、ホルダ本体に、前記画像読取装置の読み取り画像から制御装置がホルダ種別を判別する際の指標となるマークを施し、該マークを同一形状からなる複数のマーク形成要素を前記ホルダ種別毎に前記マークが異なるように配列し構成した。
【０００８】
これによれば、原稿台に置かれたフィルムホルダのホルダ種別が、該フィルムホルダに施されたマークを用いて判別される。そして、マークは、ホルダ種別毎にマーク形成要素の配列を異ならせて特徴を有するように形成される。このため、画像全体からホルダ種別を判別する場合に比してフィルムの有無やフィルムの被写体などの影響を受け難く、ホルダ種別を自動判別する際の判別精度を向上させることができる。
【０００９】
また、マーク形成要素は、ホルダ本体を貫通する貫通孔又はホルダ本体に形成された溝とした。これによれば、ホルダ本体には、貫通孔又は溝が配列されたマークが施される。このため、マークを、例えば、ペイントして施す場合などに生じ易い製造上の誤差が生じ難く、ホルダ種別を自動判別する際の判別精度を向上させることができる。
【００１０】
また、マーク形成要素は、前記ホルダ種別の判別時にホルダ本体に照射される光の照射方向に沿って直径が小さくなるテーパ状の貫通孔とした。これによれば、ホルダ本体に照射された光は、テーパ状の貫通孔によって良好に集光される。このため、画像読取装置の読み取り画像中にマークを鮮明に写し出すことができ、ホルダ種別を自動判別する際の判別精度を向上させることができる。
【００１１】
また、マークは、前記画像読取装置の機種間で共通化された前記マーク形成要素を用いて構成した。これによれば、マークが機種間で統一化される。このため、画像読取装置の機種全体において判別精度を向上させることができるとともに、判別用の制御プログラムの統一化も図ることができる。
【００１２】
本発明の画像読取システムは、画像読取装置と、該画像読取装置を制御する制御装置と、画像読取装置の原稿台に透過原稿を位置決めするためのフィルムホルダとを備えた画像読取システムにおいて、前記フィルムホルダには、そのホルダ本体に、同一形状からなる複数のマーク形成要素をホルダ種別毎に異ならせて配列したマークが施されており、前記制御装置は、前記画像読取装置が読み取った画像からマークを検出し、その検出したマークを構成するマーク形成要素の配列から前記ホルダ種別を判別する。
【００１３】
これによれば、原稿台に置かれたフィルムホルダのホルダ種別が、該フィルムホルダに施されたマークを用いて判別される。そして、マークは、ホルダ種別毎にマーク形成要素の配列を異ならせて特徴を有するように形成される。このため、画像全体からホルダ種別を判別する場合に比してフィルムの有無やフィルムの被写体などの影響を受け難く、画像読取システムにおいてホルダ種別を自動判別する際の判別精度を向上させることができる。
【発明を実施するための最良の形態】
【００１４】
以下、本発明を具体化した一実施形態を図１〜図８にしたがって説明する。
図１は、画像読取システムの構成を示すブロック図である。図１に示すように、画像読取システム１０は、画像読取装置１１と、画像読取装置１１の制御及び画像処理を行うホストコンピュータ１２とを備えて構成される。画像読取装置１１は、フラットベッド方式の画像読取装置であり、反射原稿と透過原稿の両方を読み取り可能な構成とされている。ホストコンピュータ１２は、汎用的なパーソナルコンピュータを用いて構成されている。そして、画像読取装置１１とホストコンピュータ１２は、双方向通信が可能なそれぞれのインタフェース１３，１４を介して接続されている。
【００１５】
画像読取装置１１は、箱形の筐体上面に原稿を載せるための透明な原稿台１５と、該原稿台１５に載せられた原稿に光を照射しながら図１に示した矢印方向（副走査方向）に移動して原稿からの反射光を読み取るキャリッジ１６とを備えている。キャリッジ１６は、何れも図示しないライン光源と、反射鏡と、レンズと、ラインセンサとを備え、図示しない駆動機構により副走査方向への往復動作を行う。また、画像読取装置１１は、キャリッジ１６が読み取った反射信号をデジタル変換し、補正等の処理を施した上で画像データに変換する画像信号処理部１７と、原稿を覆うための原稿台カバー１８とを備えている。
【００１６】
また、原稿台カバー１８の一部には、白色の面光源１９が備えられている。この面光源１９から光を照射することで、原稿台１５に置かれたフィルムなどの透過原稿をキャリッジ１６で読み取ることができるようになっている。なお、フィルムなどの透過原稿は、読み取り位置が固定されるように図２及び図３に示すフィルムホルダ３０を用いて原稿台１５に置かれる。
【００１７】
ホストコンピュータ１２は、ＣＰＵ２０、ＲＡＭ２１、ＲＯＭ２２、補助記憶装置２３を備えている。また、ホストコンピュータ１２には、画像読取装置１１が読み取った画像を表示するモニタ２４及びユーザからの指示を受け付ける入力装置２５が接続されている。また、ホストコンピュータ１２には、画像読取装置用の制御プログラムがインストールされている。そして、ホストコンピュータ１２のＣＰＵ２０は、制御プログラムの実行により、画像読み取り制御を行う。なお、制御プログラムは、原稿台１５に置かれたホルダの種別（フィルムホルダにセットされたフィルム（透過原稿）の種別）を判別するためのパターン検出用のプログラムを含んで構成されている。
【００１８】
次に、フィルムホルダ３０の構成について図２〜図６を用いて説明する。
図２は、フィルムホルダ３０の表面（フィルムホルダ３０を原稿台１５に置いた時に原稿台カバー１８と対向する側の面）を示し、図３は、フィルムホルダ３０の裏面（フィルムホルダ３０を原稿台１５に置いた時に該原稿台１５のガラス面と対向する側の面）を示している。図２及び図３に示すフィルムホルダ３０は、３５ｍｍのストリップフィルム及び３５ｍｍのマウント（スライド）フィルムをセット可能な構成とされている。すなわち、本実施形態のフィルムホルダ３０は、ストリップフィルム用のホルダとマウントフィルム用のホルダとを兼用している。
【００１９】
フィルムホルダ３０は、平面視長方形の平板状に形成されている。フィルムホルダ３０は、その全体が着色された樹脂成形品とされている。フィルムホルダ３０は、黒色で着色された部位がホルダ本体としてのホルダ部３１となる。ホルダ部３１には、ストリップフィルムをセット可能なストリップフィルムホルダ部３２が設けられている。本実施形態においてホルダ部３１には、２つのストリップフィルムホルダ部３２が設けられている。また、ホルダ部３１には、マウントフィルムをセット可能なマウントフィルムホルダ部３３が設けられている。本実施形態においてホルダ部３１には、４つのマウントフィルムホルダ部３３が設けられている。ストリップフィルムホルダ部３２とマウントフィルムホルダ部３３は、面光源１９からの光を透過し得るようにフィルムホルダ３０の厚み方向に貫通形成されている。
【００２０】
また、図２に示すように、ホルダ部３１の表面には、ストリップフィルムホルダ部３２にセットされたストリップフィルムを押さえるためのフィルムカバー３４が着脱自在に装着されている。また、ホルダ部３１には、マウントフィルムホルダ部３３毎に各２つの平面視半円状をなす溝３５が設けられている。溝３５は、マウントフィルムホルダ部３３に収容されたマウントフィルムを取り出す際にユーザの指先などを挿入するために利用される。
【００２１】
このように構成されたフィルムホルダ３０にストリップフィルムをセットする場合には、まず、フィルムカバー３４をフィルムホルダ３０から取り外す。そして、ストリップフィルムホルダ部３２にストリップフィルムをセットし、その後にフィルムカバー３４をホルダ部３１に取り付ける。一方、フィルムホルダ３０にマウントフィルムをセットする場合には、まず、フィルムホルダ３０を原稿台１５の所定位置（マウントフィルム用の読み取り位置）にセットし、その状態でマウントフィルムホルダ部３３にマウントフィルムをセットする。
【００２２】
また、フィルムホルダ３０には、原稿台１５に置かれたホルダ種別を判別する際の指標となるマークとしての判別マーク３６が施されている。なお、ホルダ種別を判別することにより、フィルムホルダにセットされた透過原稿（フィルム）の種別も判別される。フィルムホルダ３０には、ストリップフィルムホルダ部３２に対応する位置（図２ではフィルムホルダ３０の左側縁部）とマウントフィルムホルダ部３３に対応する位置（図２ではフィルムホルダ３０の右側縁部）の２カ所に判別マーク３６が施されている。以下の説明では、２つの判別マーク３６を差別化する場合、ストリップフィルムホルダ部３２に対応する位置の判別マーク３６を「ストリップ用マーク３７」と示し、マウントフィルムホルダ部３３に対応する位置の判別マーク３６を「マウント用マーク３８」と示す場合もある。
【００２３】
判別マーク３６は、同一形状とされた複数のマーク形成要素としての貫通孔Ｈを配列して構成されている。また、判別マーク３６は、ホルダ種別毎に異なる形状をなすように、貫通孔Ｈの配列パターンを異ならせて構成されている。フィルムホルダ３０では、図２及び図３に示すように、ストリップ用マーク３７とマウント用マーク３８が同一個数の貫通孔Ｈを異なる配列パターンで配列して構成されている。ホルダ種別毎に判別マーク３６を構成する貫通孔Ｈの配列パターンを異ならせることにより、その判別マーク３６の検出によってホルダ種別（フィルム種別）を認識し得る。
【００２４】
また、判別マーク３６を構成する貫通孔Ｈは、図４に示すように、フィルムホルダ３０の表面から裏面に向かって直径が小さくなるテーパ孔とされている。すなわち、貫通孔Ｈは、面光源１９からの光の照射方向（図４に示す矢印Ｌ方向）に沿って直径が小さくなるテーパ孔とされている。この構成により、フィルムホルダ３０に照射された面光源１９からの光は、貫通孔Ｈの内周面形状（テーパ形状）の影響を受けて集光され、フィルムホルダ３０を通過する。なお、判別マーク３６を構成する貫通孔Ｈは、ストリップ用マーク３７を構成する貫通孔Ｈとマウント用マーク３８を構成する貫通孔Ｈともにテーパ孔とされている。
【００２５】
また、フィルムホルダ３０の裏面であって判別マーク３６の形成部位（形成面）は、フィルムホルダ３０を原稿台１５に置いた時に該原稿台１５に密着するように平らな面（フラット面）で形成されている。
【００２６】
以下、判別マーク３６の構成、特に、判別マーク３６を構成する貫通孔Ｈの配列パターンと該パターンの規則性について図５及び図６に基づき詳しく説明する。
判別マーク３６は、予め定めた規則にしたがって配列された同一形状（同一径）をなす５個の基準円３９の中から複数個（本実施形態では３個又は４個）の基準円３９を選択し、その選択した複数個の基準円３９をベースに作成される。すなわち、判別マーク３６は、選択した基準円３９を貫通孔Ｈとして形成することにより、フィルムホルダ３０に施される。そして、判別マーク３６は、予め定めた規則にしたがって配列された５個の基準円３９をベースに作成されるので、規則的な配列パターンによって配列された複数個の貫通孔Ｈを有して構成される。
【００２７】
５個の基準円３９は、同一径（直径ａ）とされている。そして、５個の基準円３９は、ピッチｂにて等間隔をなすように直線状に配列された３個の基準円３９とピッチｂにて等間隔をなすように直線状に配列された２個の基準孔が２段に分かれて配置されている。以下、説明の便宜上、図５において３個の基準円３９が配列された側を「上段」、２個の基準円３９が配列された側を「下段」と示す。
【００２８】
また、上段側の基準円３９と下段側の基準円３９は、上下方向にピッチｃの間隔を空けて配列されている。また、上段側の基準円３９と下段側の基準円３９は、左右方向にピッチｄの間隔を空けて配列されている。そして、５個の基準円３９は、短辺ｅと長辺ｆからなる長方形の領域（以下、長方形の領域を「Ｋエリア４０」と示す）内に配列されている。
【００２９】
図６（ａ）〜（ｆ）には、５個の基準円３９をベースに作成される判別マーク３６の配列パターンを例示している。図６は、読み取り画像に表れる判別マーク３６の配列パターンを示している。例えば、図６（ａ）は、上段側の３個の基準円３９をベースに作成された判別マーク３６の配列パターンを示し、本実施形態のフィルムホルダ３０にはストリップ用マーク３７として施されている。また、図６（ｆ）は、上段側の２個の基準円３９と下段側の１個の基準円３９をベースに作成された判別マーク３６の配列パターンを示し、本実施形態のフィルムホルダ３０にはマウント用マーク３８として施されている。
【００３０】
判別マーク３６を構成する貫通孔Ｈは、その形状（径を含む）や配列ピッチが画像読取装置１１の機種間で統一されている。そして、判別マーク３６は、貫通孔Ｈの配列パターン毎に特定されるホルダ種別が異なるように対応付けされており、判別マーク３６とホルダ種別の対応付けは画像読取装置１１の機種間で統一されている。また、判別マーク３６は、画像読取装置１１の機種間で統一されるように、前述した５個の基準円３９をベースに作成される。
【００３１】
以下、画像読取システム１０において原稿台１５に置かれたホルダ種別を自動判別するための制御内容について説明する。図７は、制御プログラムに基づきホルダ種別を自動判別するための判定ロジックを示したフローチャートである。また、図８は、読み取り画像の一例を示す模式図である。
【００３２】
ホルダ種別の判別は、プレスキャン処理にて原稿台１５に置かれた原稿種別を透過原稿であると判別している前提のもと、本スキャン処理に先立ち行われる。プレスキャン処理は、本スキャン処理に先立ち、読み取り画像の解像度を落として短時間で原稿台１５に置かれた原稿の画像を読み取る処理である。プレスキャン処理では、キャリッジ１６を移動させて原稿からの反射光を読み取ることで画像を取得する。なお、ホルダ種別の判別は、面光源１９を照射させて、キャリッジ１６にて透過光を読み取ることで画像を取得し、該画像を用いて行われる。また、判定ロジックは、前述した規則にしたがって構成された判別マーク３６が施されたフィルムホルダを用いる機種間で統一化されている。
【００３３】
自動判別においてＣＰＵ２０は、判別マーク３６の検出範囲として定めた領域（以下、「Ｓエリア４１」と示す）をスキャニングし、その時に得た読み取り画像を閾値として定めた輝度値αで２値化する（ステップＳ１０）。輝度値αは、フィルムホルダを画像読取装置１１で読み取った際、その読み取り画像からマークとするか又はホルダ部とするかの境界となる輝度を示す。輝度値αは、画像読取装置１１の機種間で統一された全機種統一データとなる。また、Ｓエリア４１は、配列パターンを認識するための領域として設定されたＫエリア４０を含むことを保証する領域であり、フィルムホルダの設置状態などによる位置ばらつきを考慮して定められる。このＳエリア４１は、機種毎に設定した値であり、機種依存データとなる。
【００３４】
続いて、ＣＰＵ２０は、ステップＳ１０でマークとされたマーク画像をラべリングする（ステップＳ１１）。図８に示す例では、Ｓエリア４１内に１０個のマーク画像が存在する状態を示している。図８では、マーク画像をラベリングしたイメージが沸くように、１０個のマーク画像に「Ｍ１」〜「Ｍ１０」の符号を付している。なお、図８の画像では、ラベリングされたマーク画像Ｍ１〜Ｍ１０のうち、３個のマーク画像Ｍ４，Ｍ５，Ｍ８が判別マーク３６の配列パターンを構成するマーク画像とされている。
【００３５】
続いて、ＣＰＵ２０は、ステップＳ１１にてラベリングしたマーク画像のうち、Ｓエリア４１に接しているマーク画像を削除する（ステップＳ１２）。すなわち、Ｓエリア４１は、判別マーク３６を構成するマーク画像を含むＫエリア４０を含むように設定されている。このため、判別マーク３６を構成するマーク画像は、Ｓエリア４１に接することがないので、このようなマーク画像をステップＳ１２で削除する。図８の例では、マーク画像Ｍ１，Ｍ２，Ｍ６，Ｍ１０の４個が削除される。
【００３６】
続いて、ＣＰＵ２０は、残りのマーク画像のうち、判別マーク３６を構成する孔の基準サイズ以外のサイズを有するマーク画像を削除する（ステップＳ１３）。すなわち、判別マーク３６を構成する貫通孔Ｈのサイズ（直径）は、前述したように統一化されて規定されているので、貫通孔Ｈを読み取った際のマーク画像のサイズは一義的に決められる。このため、このサイズ以外のマーク画像は、判別マーク３６を構成するマーク画像ではないので、このようなマーク画像をステップＳ１３で削除する。図８の例では、マーク画像Ｍ３，Ｍ９の２個が削除される。
【００３７】
その後、ＣＰＵ２０は、残りのマーク画像から判別マーク３６の配列パターンを検出する（ステップＳ１４）。そして、ＣＰＵ２０は、残りのマーク画像によって形成されるパターンの中に判別マーク３６とされる配列パターンと一致するパターンがあるか否かを判定する（ステップＳ１５）。この判定結果が否定の場合、すなわち、一致するパターンが存在しない場合、ＣＰＵ２０は、ストリップフィルム用のホルダと暫定的に定めてパターン検出処理を終了する（ステップＳ１６）。本実施形態では、ステップＳ１５の処理を否定判定した場合、エラーを生じさせないためにホルダ種別をストリップフィルム用と判別するようになっている。一方、ステップＳ１５の判定結果が肯定の場合、すなわち、一致するパターンが存在する場合、ＣＰＵ２０は、そのパターンと一致する配列パターンに対応するホルダ種別を検出し、パターン検出処理を終了する（ステップＳ１７）。図８の例では、マーク画像Ｍ４，Ｍ５，Ｍ８によりマウントフィルム用のホルダを示す配列パターン（図６（ｆ）参照）を構成しているので、ホルダ種別としてマウントフィルム用のホルダが検出される。
【００３８】
パターン検出処理の終了後、画像読取システム１０（ホストコンピュータ１２）では、判別したホルダ種別（フィルムの種別）に応じて本スキャン処理時の画像の読み取り方法、読み取り範囲及び読み取り解像度を設定し、本スキャン処理を実行する。
【００３９】
本実施形態では、判別マーク３６の配列パターンを、画像読取装置１１の機種間で統一している。このため、ホルダ種別を自動判別するための判定ロジックは、機種依存データの設定変更を行えば、判定ロジック自体は機種間で統一して利用することが可能である。そして、本実施形態では、判別マーク３６を貫通孔Ｈの配列に意味を持たせて構成し、判定ロジックにて貫通孔Ｈの配列からホルダ種別を判別している。
【００４０】
従って、本実施形態によれば、以下に示す効果を得ることができる。
（１）フィルムホルダ３０のホルダ部３１に判別マーク３６を施し、その判別マーク３６を同一形状からなる複数の貫通孔Ｈをホルダ種別毎に配列を異ならせて構成した。このため、判別マーク３６は、ホルダ種別毎に貫通孔Ｈの配列を異ならせることにより、特徴的な形状で形成される。したがって、画像全体からホルダ種別を判別する場合に比してフィルムの有無やフィルムの被写体などの影響を受け難く、ホルダ種別を自動判別する際の判別精度を向上させることができる。
【００４１】
（２）また、判別マーク３６は、意図的で、かつ、規則性を有するように貫通孔Ｈを配列パターンにしたがって配列し構成している。このため、フィルムホルダ３０全体の形状変更を行っても、判別マーク３６を検出するための判定ロジックには影響を及ぼさない。すなわち、本実施形態の判定ロジックは、Ｓエリア４１（機種依存データ）の設定により、ホルダ形状に関係無く利用できる。
【００４２】
（３）判別マーク３６を、貫通孔Ｈにて構成した。このため、判別マーク３６を、例えば、ペイントして施す場合などに生じ易い製造上の誤差が生じ難く、ホルダ種別を自動判別する際の判別精度を向上させることができる。
【００４３】
（４）貫通孔Ｈを、テーパ状に形成した。このため、ホルダ種別の判別時にホルダ部３１に照射された光は、テーパ状の貫通孔Ｈによって良好に集光される。したがって、画像読取装置１１の読み取り画像中に判別マーク３６の画像を鮮明に写し出すことができ、ホルダ種別を自動判別する際の判別精度を向上させることができる。
【００４４】
（５）判別マーク３６を、機種毎に専用のものとした場合には、機種毎に専用の制御プログラムを開発しなければならない。これに対し、本実施形態では、判別マーク３６を、画像読取装置１１の機種間で共通化した。具体的に言えば、貫通孔Ｈの形状（径など）や配列ピッチを共通化した。このため、画像読取装置１１の機種全体において判別精度を向上させることができる。また、機種毎に制御プログラム（ドライバ）を開発する必要がなく判別用の制御プログラムの統一化を図ることができるので、開発コストの削減に貢献できる。その結果、画像読取システム１０（画像読取装置１１）自体の製造コスト削減に貢献できる。
【００４５】
（６）判別マーク３６を構成する貫通孔Ｈを丸孔とした。このため、フィルムホルダ３０を容易に製造でき、メンテナンスも簡易とすることができる。また、狭い範囲に集中して貫通孔Ｈを形成する場合でも容易に製造できる。したがって、製造コスト削減に貢献できる。また、孔の増設も容易なので、仕様変更にも対応し易い。また、丸孔は、画像処理時においてセンタ検出を容易に行うことができる。このため、読み取り画像から精度良く検出することができる。したがって、ホルダ種別を自動判別する際の判別精度を向上させることができる。
【００４６】
（７）判別マーク３６は、フィルムホルダ３０を原稿台１５に置いた時に該原稿台１５に密着する部位に形成した。このため、ホルダ種別の判別時には、読み取り画像中に判別マーク３６を高いコントラストで、鮮明に写し出すことができ、誤判定を抑制できる。特に、セルフォックレンズを採用した場合には、縮小光学系キャリッジと比べ被写界深度が浅く、焦点位置がずれたところでは極端に解像力が低下し、高いコントラストが得られず、ぼけた画像になり、判別マーク３６が検出し難い。このため、前述のように判別マーク３６をフィルムホルダ３０に形成し、焦点位置面での検出孔形状を持つことにより、誤判定を抑制できる。
【００４７】
（８）判別ロジックは、機種依存データを用いて行うように構成した。このため、機種依存データ（本実施形態ではＳエリア４１）を機種毎に変更すれば、判定ロジック自体は機種間で共通化することができる。したがって、開発コストの削減に貢献できる。
【００４８】
なお、本実施形態は以下のように変更してもよい。
○  実施形態において、判別マーク３６を複数の溝によって構成しても良い。溝は、原稿台１５置いた時に該原稿台１５と対向する面に施される。そして、パターン検出は、反射光によって得られた画像をもとに行われる。
【００４９】
○  実施形態において、判別マーク３６を、ホルダ部３１とは別部品とされたマーク部品をホルダ部３１に装着して構成しても良い。マーク部品は、黒色のホルダ部３１に対して白色にて成形されたものを使用すると良い。マーク部品は、原稿台１５に置いた時に該原稿台１５と対向する面に装着される。そして、パターン検出は、反射光によって得られた画像をもとに行われる。
【００５０】
○  実施形態において、判別マーク３６を構成する貫通孔Ｈの形状を、例えば、四角孔や三角孔に変更しても良い。
○  実施形態において、判別マーク３６を構成する貫通孔Ｈの最大個数や最小個数を変更しても良い。また、配列パターンの種類を変更しても良い。
【００５１】
○  実施形態は、フィルムホルダ３０をストリップフィルム用とマウントフィルム用に兼用構成したが、フィルムホルダの構成は変更しても良い。また、他種類のフィルム（例えば、ブローニフィルム）をセット可能に構成しても良い。
【００５２】
○  実施形態において、パターン検出の処理（図７のフローチャート）に次のような処理を加えても良い。すなわち、図７のステップＳ１２の処理の後に、ごみなどの影響により分断されたマーク画像を結合し、１つのマーク画像としてラベリングする処理を加えても良い。この処理では、マーク画像同士の分断距離が予め定めた距離（例えば、４ピクセル）以下であり、かつ、結合するマーク画像の何れかの領域が所定の大きさの矩形領域である場合に結合する。
【図面の簡単な説明】
【００５３】
【図１】画像読取システムの構成を示すブロック図。
【図２】フィルムホルダの表面を示す平面図。
【図３】フィルムホルダの裏面を示す平面図。
【図４】図２のＡ−Ａ線断面図。
【図５】判別マークの構成を説明する模式図。
【図６】（ａ）〜（ｆ）は、判別マークのパターンを説明する模式図。
【図７】パターン検出処理を説明するフローチャート。
【図８】読み取り画像の一例を示す模式図。
【符号の説明】
【００５４】
１０…画像読取システム、１１…画像読取装置、１２…ホストコンピュータ（制御装置）、１５…原稿台、３０…フィルムホルダ、３１…ホルダ部（ホルダ本体）、３６…判別マーク（マーク）、３７…ストリップ用マーク、３８…マウント用マーク、Ｈ…貫通孔（マーク形成要素）。
【図１】
2006284885.tif 000003
【図２】
2006284885.tif 000004
【図３】
2006284885.tif 000005
【図４】
2006284885.tif 000006
【図５】
2006284885.tif 000007
【図６】
2006284885.tif 000008
【図７】
2006284885.tif 000009
【図８】
2006284885.tif 000010